(57)【要約】 【構成】  ニットができるカムシステムＳ２と、目移しのみができるカムシステムＳ１,Ｓ３を備えた横編機で、タックコースを含む編地を編成する。システムＳ２の位置でタック用のヤーンキャリアを連行する。なおタック用のキャリアは、連行ピンでの連行位置からヤーンフィーダまでの間隔が、システムＳ１／Ｓ２またはＳ３／Ｓ２の間隔分有る。システムＳ１，Ｓ３で目移しの受けのルートで針を駆動してタック編成し、同じコースでシステムＳ２によりニットする。【効果】  タックコースを含む編地を効率的に編成できる。【選択図】     図５
2006265794.tif 000002
【特許請求の範囲】
【請求項１】
少なくともニットが自在なカムシステム(Ｓ２)と、少なくとも１つの目移し専用のカムシステム(Ｓ１),(Ｓ３)とを備えたキャリッジを設けて、少なくとも一対のニードルベッドに沿って往復走行させると共に、ニードルベッドの針に給糸するための給糸口を備えたヤーンキャリアと、ニードルベッドと平行なヤーンキャリアをガイドするためのキャリアレールと、ニット用のシステム(Ｓ２)の上部で連行ピンを出没させてヤーンキャリアを連行するための連行制御部、とを設けた横編機により、タックコースを含む編地を編成する方法において、
タックするニードルベッドの針を、目移し用のシステム(Ｓ１),(Ｓ３)で目移しの受けのルートで操作すると共に、
連行ピンでの連行位置と針に糸を給糸するための給糸口との位置とが、システム(Ｓ１)／(Ｓ２)または(Ｓ３)／(Ｓ２)の間隔分シフトした、タック用のヤーンキャリア(１４)を設け、
タック用のヤーンキャリア(１４)をニット用のシステム(Ｓ２)の上部で連行ピンにより連行しながら、目移し用のシステム(Ｓ１),(Ｓ３)で操作する針に給糸することにより、タックコースを実行し、
前記タックコースと同じキャリッジの走行コース内で、ニット用のシステム(Ｓ２)により、他のヤーンキャリア(１２)から給糸しながら、ニットコースを実行するようにしたことを特徴とする、編成方法。
【請求項２】
前記キャリッジが、ニット用のシステム(Ｓ２)の走行方向の前後に、目移し専用のシステム(Ｓ１),(Ｓ３)を備え、
前記タック用のヤーンキャリア(１４)が、キャリアレールに平行に延びる部材と、該部材の長手方向中央部の下側の前記給糸口とを備え、該部材の少なくとも走行方向の前後の両端部付近に前記連行ピンで連行するための連行位置を備え、
タック用のヤーンキャリア(１４)を走行方向の後側もしくは前側の連行位置で連行すると共に、前記目移し用のシステム(Ｓ１),(Ｓ３)で針を操作して、タックコースを実行するようにしたことを特徴とする、請求項１の編成方法。
【請求項３】
少なくともニットが自在なカムシステム(Ｓ２)と、少なくとも１つの目移し専用のカムシステム(Ｓ１),(Ｓ３)とを備えたキャリッジを、少なくとも一対のニードルベッドに沿って往復走行させると共に、ニードルベッドの針に給糸するための給糸口を備えたヤーンキャリアと、ニードルベッドと平行なヤーンキャリアをガイドするためのキャリアレールと、ニット用のシステム(Ｓ２)の上部で連行ピンを出没させてヤーンキャリアを連行するための連行制御部、とを設けた横編機により、タックコースを含む編地を編成するための編成プログラムにおいて、
タックコースでタックする針への操作を、目移し用のシステム(Ｓ１),(Ｓ３)での目移しの受けの操作として行うためのタック命令と、
連行ピンでの連行位置と針に糸を給糸するための給糸口との位置とが、システム(Ｓ１)／(Ｓ２)または(Ｓ３)／(Ｓ２)の間隔分シフトした、タック用のヤーンキャリア(１４)を、ニット用のシステム(Ｓ２)の上部で連行ピンにより連行することにより、目移し用のシステム(Ｓ１),(Ｓ３)で操作する針に給糸するための連行命令とを設けて、
タック用のヤーンキャリア(１４)を連行ピンで連行しながら、目移し用のシステム(Ｓ１),(Ｓ３)で操作する針に給糸することにより、タックコースを実行すると共に、
前記タックコースと同じキャリッジの走行コース内で、ニット用のシステム(Ｓ２)により、他のヤーンキャリア(１２)から給糸しながら、ニットコースを実行するためのニット命令を設けたことを特徴とする、編成プログラム。
【請求項４】
少なくともニットが自在なカムシステム(Ｓ２)と、少なくとも１つの目移し専用のカムシステム(Ｓ１),(Ｓ３)とを備えたキャリッジを、少なくとも一対のニードルベッドに沿って往復走行させると共に、ニードルベッドの針に給糸するための給糸口を備えたヤーンキャリアと、ニードルベッドと平行なヤーンキャリアをガイドするためのキャリアレールと、カムシステム(Ｓ２)の上部で連行ピンを出没させてヤーンキャリアを連行するための連行制御部、とを設けた横編機により、
タックコースを含む編地を編成するための、編成プログラムを作成するためのデザイン装置において、
タックコースとニットコースとを含むデザインデータで、タックコースのデータとニットコースのデータは、各々ヤーンキャリアの連行データとカムシステムでの針の操作データを含むものに対して、
タックコースでタックする針の操作データを、目移し用のシステム(Ｓ１),(Ｓ３)での目移しの受けの操作データに変換するための手段と、
タックコースの連行データを、システム(Ｓ１)／(Ｓ２)または(Ｓ３)／(Ｓ２)の間隔分、ニードルベッドに平行な方向にシフトさせるための連行データ変換手段と、
前記タックコースの前後少なくともいずれかのニットコースを、前記タックコースと同じキャリッジの走行コース内で、他のヤーンキャリア(１２)から給糸しながら、前記ニット用のシステム(Ｓ２)により実行させるための手段、とを設けたことを特徴とする、デザイン装置。
【発明の詳細な説明】
【技術分野】
【０００１】
この発明は、横編機を用いてタックコースを含む編地を効率的に編成することに関する。
【背景技術】
【０００２】
弾性糸を用いたタックコースを含む編地は、伸縮性が高いとの特徴がある。ところで横編機には、キャリッジが３つのカムシステムを備え、中央のシステムＳ２がニットができるカムシステムで、左右のカムシステムＳ１,Ｓ３が目移しのみができるシステムであるものがある。例えば出願人の横編機ＳＷＧ−Ｘ(ＳＷＧ−Ｘは商品名)等がそうである。このような横編機ではシステムＳ２以外はタックできないので、タックのコースとニットのコースを同じコースで処理できず、タックコースを含む編地の編成には非効率である。
【０００３】
特許文献１は本発明で用いるヤーンキャリアと類似のものを開示している。しかしながら特許文献１は、ヤーンキャリアをタックコースの編成に用いることは開示していない。また特許文献１は、目移し専用のシステムをタックに用いることは開示していない。
【特許文献１】ＷＯ  ２００４／０７６７３２Ａ１
【発明の開示】
【発明が解決しようとする課題】
【０００４】
この発明の課題は、ニットが可能なカムシステムを１システムしか備えず、他のカムシステムは目移し専用であるキャリッジを備えた横編機で、タックコースを含む編地を効率的に編成できるようにすることにある。
【課題を解決するための手段】
【０００５】
この発明は、少なくともニットが自在なカムシステム(Ｓ２)と、少なくとも１つの目移し専用のカムシステム(Ｓ１)，(Ｓ３)とを備えたキャリッジを設けて、少なくとも一対のニードルベッドに沿って往復走行させると共に、ニードルベッドの針に給糸するための給糸口を備えたヤーンキャリアと、ニードルベッドと平行なヤーンキャリアをガイドするためのキャリアレールと、ニット用のシステム(Ｓ２)の上部で連行ピンを出没させてヤーンキャリアを連行するための連行制御部、とを設けた横編機により、タックコースを含む編地を編成する方法において、
タックするニードルベッドの針を、目移し用のシステム(Ｓ１),(Ｓ３)で目移しの受けのルートで操作すると共に、
連行ピンでの連行位置と針に糸を給糸するための給糸口との位置とが、システム(Ｓ１)／(Ｓ２)または(Ｓ３)／(Ｓ２)の間隔分シフトした、タック用のヤーンキャリア(１４)を設け、
タック用のヤーンキャリア(１４)をニット用のシステム(Ｓ２)の上部で連行ピンにより連行しながら、目移し用のシステム(Ｓ１),(Ｓ３)で操作する針に給糸することにより、タックコースを実行し、
前記タックコースと同じキャリッジの走行コース内で、ニット用のシステム(Ｓ２)により、他のヤーンキャリア(１２)から給糸しながら、ニットコースを実行するようにしたことを特徴とする。
【０００６】
この発明はまた、少なくともニットが自在なカムシステム(Ｓ２)と、少なくとも１つの目移し専用のカムシステム(Ｓ１),(Ｓ３)とを備えたキャリッジを、少なくとも一対のニードルベッドに沿って往復走行させると共に、ニードルベッドの針に給糸するための給糸口を備えたヤーンキャリアと、ニードルベッドと平行なヤーンキャリアをガイドするためのキャリアレールと、ニット用のシステム(Ｓ２)の上部で連行ピンを出没させてヤーンキャリアを連行するための連行制御部、とを設けた横編機により、タックコースを含む編地を編成するための編成プログラムにおいて、
タックコースでタックする針への操作を、目移し用のシステム(Ｓ１),(Ｓ３)での目移しの受けの操作として行うためのタック命令と、
連行ピンでの連行位置と針に糸を給糸するための給糸口との位置とが、システム(Ｓ１)／(Ｓ２)または(Ｓ３)／(Ｓ２)の間隔分シフトした、タック用のヤーンキャリア(１４)を、ニット用のシステム(Ｓ２)の上部で連行ピンにより連行することにより、目移し用のシステム(Ｓ１),(Ｓ３)で操作する針に給糸するための連行命令とを設けて、
タック用のヤーンキャリア(１４)を連行ピンで連行しながら、目移し用のシステム(Ｓ１),(Ｓ３)で操作する針に給糸することにより、タックコースを実行すると共に、
前記タックコースと同じキャリッジの走行コース内で、ニット用のシステム(Ｓ２)により、他のヤーンキャリア(１２)から給糸しながら、ニットコースを実行するためのニット命令を設けたことを特徴とする。
【０００７】
この発明は更に、少なくともニットが自在なカムシステム(Ｓ２)と、少なくとも１つの目移し専用のカムシステム(Ｓ１),(Ｓ３)とを備えたキャリッジを、少なくとも一対のニードルベッドに沿って往復走行させると共に、ニードルベッドの針に給糸するための給糸口を備えたヤーンキャリアと、ニードルベッドと平行なヤーンキャリアをガイドするためのキャリアレールと、カムシステム(Ｓ２)の上部で連行ピンを出没させてヤーンキャリアを連行するための連行制御部、とを設けた横編機により、
タックコースを含む編地を編成するための、編成プログラムを作成するためのデザイン装置において、
タックコースとニットコースとを含むデザインデータで、タックコースのデータとニットコースのデータは、各々ヤーンキャリアの連行データとカムシステムでの針の操作データを含むものに対して、
タックコースでタックする針の操作データを、目移し用のシステム(Ｓ１),(Ｓ３)での目移しの受けの操作データに変換するための手段と、
タックコースの連行データを、システム(Ｓ１)／(Ｓ２)または(Ｓ３)／(Ｓ２)の間隔分、ニードルベッドに平行な方向にシフトさせるための連行データ変換手段と、
前記タックコースの前後少なくともいずれかのニットコースを、前記タックコースと同じキャリッジの走行コース内で、他のヤーンキャリア(１２)から給糸しながら、前記ニット用のシステム(Ｓ２)により実行させるための手段、とを設けたことを特徴とする。
【０００８】
好ましくは、前記キャリッジが、ニット用のシステム(Ｓ２)の走行方向の前後に、目移し専用のシステム(Ｓ１),(Ｓ３)を備え、
前記タック用のヤーンキャリア(１４)が、キャリアレールに平行に延びる部材と、該部材の長手方向中央部の下側の前記給糸口とを備え、該部材の少なくとも走行方向の前後の両端部付近に前記連行ピンで連行するための連行位置を備え、
タック用のヤーンキャリア(１４)を走行方向の後側もしくは前側の連行位置で連行すると共に、前記目移し用のシステム(Ｓ１)，(Ｓ３)で針を操作して、タックコースを実行する。
【０００９】
この発明において、編成方法に関する開示は特に断らない限りそのまま編成プログラムやデザイン装置にも該当する。特許請求の範囲の用語に符号を付したが、これは参照の便宜を図ったもので、実施例に沿って特許請求の範囲を解釈することを意味しない。
【発明の効果】
【００１０】
この発明では、タックコースとニットコースを同時に実行できるので、編成効率が向上する。
【発明を実施するための最良の形態】
【００１１】
以下に本発明を実施するための最適実施例を示す。
【実施例】
【００１２】
図１〜図９に、実施例とその変形を示す。図１は、実施例の横編機２をニードルベッド８,１０の上側から見て示し、４はキャリッジで、ニードルベッド８,１０に沿って往復走行する。キャリッジ４にはカムシステムＳ１〜Ｓ３とＳ１'〜Ｓ３'があり、このうち中央のカムシステムＳ２,Ｓ２'はニットができるカムシステムで、図１の左側のカムシステムＳ１,Ｓ１'と右側のカムシステムＳ３,Ｓ３'は目移しのみができるカムシステムである。以下ではカムシステムを単にシステムという。システムＳ２,Ｓ２'の上部の位置に破線で示す連行制御部６があり、連行ピン１６によりヤーンキャリア１２,１４を連行／連行解除する。実施例では連行制御部６はキャリッジ４と一体であるが、これらを別体にして連行制御部６をキャリッジ４と同期して走行させ、常時システムＳ２,Ｓ２'の上部にあるようにしても良い。またニードルベッド８,１０の針はここではスライドニードルであるが、べら針などでも良い。また実施例では、横編機２は前後一対のニードルベッド８,１０を備えているものとするが、例えば４枚のニードルベッドを備えていても良い。
【００１３】
ヤーンキャリア１２は通常のヤーンキャリアで、その給糸口はヤーンキャリア１２の長手方向中央部の下部にあり、システムＳ２,Ｓ２'で操作する針に給糸する。タック用のヤーンキャリア１４は、例えばその左右両端部で走行方向後側の位置を連行ピン１６で押して連行するか、中央部の２個所のいずかの位置で連行ピン１６により連行するかする。図１のように走行方向後側の右端の位置で連行した場合、連行ピン１６の位置はカムシステムＳ２,Ｓ２'の上部で、給糸口の位置はカムシステムＳ１,Ｓ１'で操作する針への給糸位置となる。また逆に、ヤーンキャリア１４を図１の左から右へ移動させて、カムシステムＳ３で操作する針に給糸する場合、図１の左側の連行位置で連行し、給糸口の位置はカムシステムＳ３,Ｓ３'に対応する位置となる。このようにヤーンキャリア１４の左右両端の連行位置と給糸位置とは、カムシステム(Ｓ１)／(Ｓ２)または(Ｓ３)／(Ｓ２)の間隔分シフトしている。１８はキャリアレールで、ニードルベッド８,１０に平行に複数のレールを設け、２０はトリックギャップで、ニードルベッド８,１０の間の領域である。
【００１４】
図２,図３にタック用のヤーンキャリア１４の構造を示すと、２２は連行板で、その走行方向の前後、即ち図２の左右と、中央部２個所に合計４個所の連行位置２３ａ〜２３ｄがある。２４,２６は例えば一対の連行解除板で、１枚でも良く、２８は連行板２２から突き出したピンで、連行解除板２４,２６に設けた長孔３０,３２に挿入してある。３４は取付板で、取り付け具３６により連行板２２及び連行解除板２４,２６を支持する。ヤーンキャリア１４には例えば４個のローラ３８を設けて、キャリアレール１８に設けた溝にガイドされながら走行する。４０はヤーンキャリア１４の下端の給糸口で、ヤーンキャリア１４の長手方向中央部の下部にあり、給糸口４０はヤーンキャリア１４に対して取り外し自在である。４２はストッパで、キャリアレール１８に取り付け、連行ピン１６による連行を解除する。但しヤーンキャリア１４の連行解除は、連行制御部により連行ピン１６を上昇させることにより行っても良い。
【００１５】
４４,４６は前後のケース部材で、４８,４９は連行板２２に設けた長孔で、その内部にコイルスプリングなどのバネ５０,５１を収容する。連行解除板２４,２６には長孔５２,５４を設け、その一端にバネ受け５５,５６を設ける。また連行解除板２４は連行解除部５８,５８'を備え、連行解除板２６は連行解除部５７,５７'を備えている。
【００１６】
ヤーンキャリア１４は４個所の連行位置２３ａ〜ｄの何れかで連行し、連行位置２３ａと２３ｃの間や、連行位置２３ｄと２３ｂの間には、システムＳ１／Ｓ２分の間隔や、システムＳ２／Ｓ３分の間隔がある。なおシステムＳ１／Ｓ２分の間隔と、システムＳ２／Ｓ３分の間隔は等しい。キャリッジの走行方向、言い換えると編成方向が図２の右から左向きの場合、先行のシステムＳ１,Ｓ１'でタック編成し、連行位置２３ｂで連行する。また編成方向が図２の右向きの場合、先行のシステムＳ３,Ｓ３'でタック編成し、連行位置２３ａで連行する。ヤーンキャリア１４をシステムＳ２，Ｓ２'での通常の編成に用いる場合、連行位置２３ｃ，２３ｄで連行する。
【００１７】
ヤーンキャリア１４の連行解除は、連行ピン１６の上昇で行っても良いが、ストッパ４２を用いると簡単である。編み幅の左右にストッパ４２を設け、例えば図２で左側へ走行している際に、連行解除板２６がストッパ４２に接触すると、右側に押され、連行解除部５７,５７'により連行位置２３ｂ,２３ｄでの連行を解除できる。逆に連行解除板２４が図示しない右側のストッパに接触すると、連行解除部５８,５８'により連行位置２３ａ,２３ｃでの連行を解除できる。
【００１８】
ヤーンキャリア１４には図示しないマグネットを設けて、ストッパ４２などにより連行を解除されると、キャリアレール１８に吸着して、その位置で停止するようにする。またストッパ４２により連行解除板２４,２６が左右にスライドすると、バネ受け５５,５６がバネ５０,５１により押されて、連行解除板２４,２６は元の位置に復帰する。ヤーンキャリア１４の中央の連行位置２３ｃ,２３ｄは、システムＳ２,Ｓ２'で操作する針に給糸するためのもので、設けなくても良い。またヤーンキャリア１４の左右両端に、図２に鎖線で示す凹部２７ａ，２７ｂを設けて、凹部２７ａ，２７ｂの両端を連行位置とすると、タック編成を先行のシステムに限らず後行のシステムでも行うことができる。
【００１９】
図４にキャリッジ４でのシステムＳ１〜Ｓ３を示す。なおシステムＳ１は走行方向前側のカムシステムを、システムＳ３は走行方向後側の位置を示す。図４でキャリッジ４が右から左へと走行すると、システムＳ１では下部の選針装置５９でタックする針を選択する。上下のカムのうち上側のカム６１は、スライドニードルのスライダーを操作するカムで、下側のカム６０はスライドニードルのフックを操作するカムである。この場合タックする針は目移しの受けのルートに選択され、スライダーは動作せず、フックは目移しの受けルートで操作される。システムＳ２はニットができ、５９'は選針装置、６０'はフックの操作用のカム、６１'はスライダーの操作用のカムである。システムＳ２に関して、ニットに対するルートを示す。システムＳ３は目移し専用のシステムで、システムＳ１と同様の構成である。システムＳ３に関して、目移しの渡しのルートを鎖線で示すが、目移しの受けのルートを用いればタックができる。
【００２０】
図５に、実施例での編成方法を示す。タック用のヤーンキャリアとストッパをキャリアレールにセットし、システムＳ２で例えば周回編成により筒状編地をニットする。そして所定回数ニットすると、システムＳ１，Ｓ３の内でシステムＳ２よりも先行のシステムと、タック用のヤーンキャリアを用いて、タックコースを編成する。タック用のヤーンキャリアの連行位置と解放位置は、タックコースの編み幅に対して、システムＳ１／Ｓ２またはＳ２／Ｓ３の間隔だけ走行方向での後側にシフトさせる。そしてタック用の編成データを目移しの受けと解釈して、システムＳ１，Ｓ３で針を選針駆動してタックコースを編成する。続いて同じキャリッジのコースでシステムＳ２でニットし、必要があればシステムＳ３，Ｓ１を用いて目移しを行う。このようにして所定回数タックコースとニットのコースとを編成し、編成を終了する場合、伏せ目などの他の処理を実行して編成を完了する。なおタック用のヤーンキャリアに図２の凹部２７ａ、２７ｂなどを設けると、システムＳ１，Ｓ３の内で後行のシステムを用いてタックコースを実行できる。この場合、タック用のヤーンキャリアの連行位置を、タックコースの編幅に対してシステムＳ１／Ｓ２またはＳ２／Ｓ３の間隔分、編成方向の前方にシフトさせる。
【００２１】
図６に、実施例のデザイン装置６４と横編機２との関係を示す。デザイン装置６４はニットコースとタックコースとを含む筒状編地などのデザインデータを作成し、データ変換部６５により、タック用のヤーンキャリアを用いて横編機２で編成できるデータに変換する。ヤーンキャリアの連行データシフト部６６は、タックコースでのヤーンキャリアの連行開始位置と解除位置とを、編み幅に対してシステムＳ１／Ｓ２またはＳ３／Ｓ２の間隔分、走行方向後側へシフトさせる。但し、ストッパにより連行を解除し、かつヤーンキャリアがストッパに接触したことを検出して、連行ピンを上昇させる場合、連行の解除データは不要である。タックデータの目移し受けのデータへの変換部６７は、タックコースでのタックのデータを目移しの受けのデータに変換する。ニットコースの割り付け部６８は、タックコースと同じコースでシステムＳ２により、ニットコースを１コース編成するように、ニットコースを割り付ける。またニットコースの割り付け部６８は、後行のシステムＳ３またはＳ１で処理できる目移しなどのコースがある場合、このコースを後行のシステムＳ３またはＳ１に割り付ける。なおタック用のヤーンキャリアに図２の凹部２７ａ、２７ｂなどを設けると、システムＳ１，Ｓ３の内で後行のシステムを用いてタックコースを実行できる。６９は編機２の制御部で編成データを解釈して編機２の動作を制御し、データ変換部６５は制御部６９に設けても良い。
【００２２】
図７に実施例の編成プログラム７０を示し、システムＳ２によるニット命令７２は、システムＳ２を用いてニットコースを実行するための命令である。ニットの繰り返し命令７３は、所用コース数だけニットコースを繰り返すための命令である。システムＳ１，Ｓ３によるタックサブルーチン７４は、ヤーンキャリアの連行位置のシフト命令７５と、タックデータの目移し受けへのデータ変換命令７６とを備えている。ヤーンキャリアの連行位置のシフト命令７５により、システムＳ１，Ｓ３によりタックコースを実行する際に、タック用のヤーンキャリアの連行位置と解除位置を、システムＳ１／Ｓ２またはＳ３／Ｓ２の間隔分、編成方向後側へシフトさせる。タックデータの目移し受けへのデータ変換命令７６は、タックを目移しの受けのデータへと変換する。システムＳ１，Ｓ３によるタックと同コースでのシステムＳ２でのニット命令７８は、タックコースと同じキャリッジの走行コースで、システムＳ２によりニットを実行させる。必要な場合このコースでシステムＳ３を用い、目移しなどの他の処理を行う。なおタック用のヤーンキャリアに図２の凹部２７ａ、２７ｂなどを設けると、システムＳ１，Ｓ３の内で後行のシステムを用いてタックコースを実行できる。この場合、タック用のヤーンキャリアの連行位置を、タックコースの編幅に対してシステムＳ１／Ｓ２またはＳ２／Ｓ３の間隔分、編成方向の前方にシフトさせる。
【００２３】
図８,図９に、実施例での編成例を示し、図８はキャリッジの６コースにより、ニットを前編地／後編地各３コースと、タックを前編地／後編地各１コース、周回編成する例である。図８の(1),(2)のように、システムＳ２を用いて周回編成を行い、(3)で先行のシステムＳ３によりタックコースを１コース編成し、これと同じキャリッジの走行コースで、システムＳ２によりニットを１コース処理する。キャリッジの復行側のコースで、先行のシステムＳ１によりタックを１コース編成し、同じキャリッジのコースでシステムＳ２によりニットを１コース編成する。なおニットコースとタックコースの割合などは任意である。図８の編成で、タックコースで弾性糸を用いると、伸縮性が高いため肌に密着する肌着を無縫製で筒状に編成できる。
【００２４】
図９は、実施例を平編地の編成に応用した例で、(1),(2)で２コース分システムＳ２によりニットし、(3)でシステムＳ３によりタックを１コース編成し、同じキャリッジの走行コースでシステムＳ２によりニットを１コース編成する。なお編成方向を反転すると、システムＳ１でタックコースを編成できる。
【００２５】
図１０は、図８に対応する従来例での編成例を示し、図８でのキャリッジの３往復による編成を４往復で編成し、編成効率は約３０％低下している。そしてタックコースの割合を増やすほど、編成効率の低下は著しくなる。
【００２６】
実施例のヤーンキャリア１４ではシステムＳ１，Ｓ３の内で、先行のシステムでタックする。しかし図２のようにヤーンキャリア１４に凹部２７ａ、２７ｂを設けると、先行／後行を問わず、システムＳ１，Ｓ３のいずれでもタックコースを実行できる。なお後行のシステムでタックする場合、タック用のヤーンキャリアの連行位置を、タックコースの編幅に対してシステムＳ１／Ｓ２またはＳ２／Ｓ３の間隔分、編成方向の前方にシフトさせる。また先行のシステムＳ１またはＳ３でタックし、システムＳ２でニットする場合、空きの後行のシステムＳ３またはＳ１を用いて、リブ筒状編成や成型時の目移しなどを行うことができる。
【００２７】
タック用のヤーンキャリアとしては、図２の取付板３４等の上部に、走行方向前後にスライド自在でかつ連行ピン１６の係止用の凹部を備えた部材を設けたものを用いても良い。この場合、例えばスライド範囲の両端で取付板３４等にストッパを設けて、この部材の脱落を防止する。例えばキャリッジを左向きに走行させる場合、システムＳ２上で連行ピンによりこの部材を連行するとヤーンキャリアも連行され、この部材はヤーンキャリアの左端へスライドするので、システムＳ３，Ｓ３'で操作する針に給糸できる。キャリッジを右向きに走行させる場合、システムＳ２上で連行ピンにより連行すると、システムＳ１，Ｓ１'で操作する針に給糸できる。
【図面の簡単な説明】
【００２８】
【図１】実施例での、ニードルベッド上のカムシステムとヤーンキャリアの配置とを模式的に示す図
【図２】実施例での、キャリアレール上のタック用のヤーンキャリアとストッパとを示す図
【図３】実施例で用いたヤーンキャリアの要部分解状態を示す図
【図４】実施例でのキャリッジでのカムシステムと、システムＳ１でのタック／システムＳ２でのニットのルートを示す図
【図５】実施例での編成方法を示すフローチャート
【図６】実施例のデザイン装置と横編機とデータ変換部とを示す図
【図７】実施例の編成プログラムのブロック図
【図８】実施例で筒状編地を編成する際の編成方法を示す図
【図９】実施例で平編地を編成する際の編成方法を示す図
【図１０】図８の編地を編成する際の従来例を示す図
【符号の説明】
【００２９】
２  横編機
４  キャリッジ
６  連行制御部
８,１０ ニードルベッド
１２  ヤーンキャリア
１４  タック用のヤーンキャリア
１６  連行ピン
１８  キャリアレール
２０  トリックギャップ
２２  連行板
２３ａ〜ｄ 連行位置
２４,２６ 連行解除板
２７ａ，ｂ 凹部
２８  ピン
３０,３２ 長孔
３４  取付板
３６  取り付け具
３８  ローラ
４０  給糸口
４２  ストッパ
４４,４６ ケース部材
４８,４９ 長孔
５０,５１ バネ
５２,５４ 長孔
５５,５６ バネ受け
５７,５７' 連行解除部
５８,５８' 連行解除部
５９,５９' 選針装置
６０,６０' フック用のカム
６１,６１' スライダー用のカム
６４  デザイン装置
６５  データ変換部
６６  ヤーンキャリアの連行データシフト部
６７  タックデータの目移し受けへのデータへの変換部
６８  ニットコースの割り付け部
６９  制御部
７０  編成プログラム
７２  システムＳ２によるニット命令
７３  ニットの繰り返し命令
７４  システムＳ１によるタックサブルーチン
７５  ヤーンキャリアの連行位置のシフト命令
７６  タックデータの目移し受けへのデータ変換命令
７８  タックと同コースでのシステムＳ２でのニット命令
【図１】
2006265794.tif 000003
【図２】
2006265794.tif 000004
【図３】
2006265794.tif 000005
【図４】
2006265794.tif 000006
【図５】
2006265794.tif 000007
【図６】
2006265794.tif 000008
【図７】
2006265794.tif 000009
【図８】
2006265794.tif 000010
【図９】
2006265794.tif 000011
【図１０】
2006265794.tif 000012